(57)【要約】【課題】再接続の成功の確率を高くするとともに、シグナリング量を抑制すること。【解決手段】通信端末装置１００は、基地局の配下の複数のセルのうちの何れかのセルと接続して通信を行う。周辺セル情報復号部１０５は、周辺セル情報を現在接続中のセルより取得する。周辺セル探索部１０６は、セルとの再接続の必要が生じた際にセルの探索を実施するとともに、周辺セル情報のセルのうち、探索により検出したセルと一致するセルを再接続先のセルとして検出する。再接続要求情報生成部１０７は、周辺セル探索部１０６により検出した再接続先のセルに対する再接続要求メッセージを生成する。【選択図】図５
2012114705.tif 000002
【特許請求の範囲】
【請求項１】
基地局の配下の複数のセルのうちの何れかのセルと接続して通信を行う通信端末装置であって、
現在接続中のセルの周辺のセルを示す周辺セル情報を前記現在接続中のセルより取得する取得手段と、
セルとの再接続の必要が生じた際にセルの探索を実施するとともに、前記周辺セル情報のセルのうち、前記探索により検出したセルと一致するセルを再接続先のセルとして検出する検出手段と、
前記検出手段により検出した前記再接続先のセルに再接続する再接続手段と、
を具備する通信端末装置。
【請求項２】
前記周辺セル情報は、前記現在接続中のセルを配下に有する基地局の配下の他のセルの情報である請求項１記載の通信端末装置。
【請求項３】
前記周辺セル情報は、前記現在接続中のセルを配下に有する基地局に隣接する基地局の配下のセルの情報である請求項１記載の通信端末装置。
【請求項４】
前記取得手段は、前記現在接続中のセルより報知情報として送信された前記周辺セル情報を取得する請求項１記載の通信端末装置。
【請求項５】
前記取得手段は、前記現在接続中のセルより接続設定メッセージとして送信された前記周辺セル情報を取得する請求項１記載の通信端末装置。
【請求項６】
前記取得手段は、前記現在接続中のセルより接続再設定メッセージとして送信された前記周辺セル情報を取得する請求項１記載の通信端末装置。
【請求項７】
前記周辺セル情報は、前記周辺のセルのセルＩＤ情報である請求項１記載の通信端末装置。
【請求項８】
前記周辺セル情報は、前記周辺のセルで使用する周波数情報である請求項１記載の通信端末装置。
【請求項９】
前記周辺セル情報は、前記周辺のセルで使用する無線接続方式情報である請求項１記載の通信端末装置。
【請求項１０】
請求項１記載の通信端末装置と通信を行うセルを配下に有する基地局であって、
各通信端末装置に送信するデータ量に応じて前記周辺セル情報を送信する通信端末装置を選択する選択手段と、
前記選択手段により選択した通信端末装置に対して前記周辺セル情報を送信する送信手段と、
を具備する基地局。
【請求項１１】
請求項１記載の通信端末装置と通信を行うセルを配下に有する基地局であって、
通信端末装置より受信した信号の電界強度を測定する測定手段と、
前記測定手段により測定した電界強度が所定の値以下の通信端末装置を選択する選択手段と、
前記選択手段により選択した通信端末装置に対して前記周辺セル情報を送信する送信手段と、
を具備する基地局。
【請求項１２】
請求項１記載の通信端末装置と通信を行うセルを配下に有する基地局であって、
通信端末装置から受信した信号より各通信端末装置の移動速度を測定する測定手段と、
前記測定手段により測定した移動速度が所定の値以上の通信端末装置を選択する選択手段と、
前記選択手段により選択した通信端末装置に対して前記周辺セル情報を送信する送信手段と、
を具備する基地局。
【請求項１３】
基地局の配下の複数のセルのうちの何れかのセルと接続して通信を行う通信端末装置におけるセルとの再接続方法であって、
現在接続中のセルの周辺のセルを示す周辺セル情報を前記現在接続中のセルより取得するステップと、
セルとの再接続の必要が生じた際にセルの探索を実施するとともに、前記周辺セル情報のセルのうち、前記探索により検出したセルと一致するセルを再接続先のセルとして検出するステップと、
検出した前記再接続先のセルに再接続するステップと、
を具備するセルとの再接続方法。
【発明の詳細な説明】
【技術分野】
【０００１】
本発明は、通信端末装置及びセルとの再接続方法に関し、特に無線通信システムにおいてセルとの再接続を実施する通信端末装置及びセルとの再接続方法に関する。
【背景技術】
【０００２】
無線通信システムにおいて、通信端末装置と基地局装置との間の伝播環境は、時々刻々と変化する。無線通信システムでは、有線を用いた通信システムと比較して、無線リンクが不安定である。このような不安定な無線リンクは、伝播環境の悪化などにより切断されることがある。
【０００３】
また、従来、切断された無線リンクを迅速に回復させるための技術として再接続技術がある。例えば、標準化団体３ＧＰＰ(3rd Generation Partnership Project)で標準化が進められているＬＴＥ(Long Term Evolution)／ＳＡＥ(System Architecture Evolution)システムにおいて、再接続処理が規定されている（例えば、非特許文献１）。再接続処理を用いることにより、接続プロシージャをやり直すよりも簡易な処理で、切断された無線リンクの接続を回復することができる。
【０００４】
非特許文献１の無線通信システムでは、基地局（ｅＮｏｄｅ  Ｂ）は、複数のセルを配下に有する。また、非特許文献１の無線通信システムでは、通信端末装置（ＵＥ）は、再接続の契機が起こった際に、偶発的に検出したセルに対する再接続を要求する再接続要求メッセージを、基地局に送信する。ここで、再接続の契機としては、例えば、基地局と通信端末装置との間の同期外れ、またはハンドオーバの失敗等がある。
【０００５】
上記の再接続要求メッセージを受信した基地局は、通信端末装置から受信した再接続要求メッセージに含まれる端末再接続ＩＤを参照する。端末再接続ＩＤには、Ｃ−ＲＮＴＩ（Cell Radio Network Temporary Identifier）、ＰＣＩ(Physical Cell ID)およびＳｈｏｒｔＭＡＣ−Ｉ等が含まれる。そして、基地局は、無線リンクの切断を再接続の契機とする場合には、通信端末装置が切断直前に通信していたセルと再接続を要求するセルとが同一の基地局の配下のセルであれば、再接続を許可する再接続許可メッセージを送信する。一方、基地局は、通信端末装置が切断直前に通信していたセルと再接続を要求するセルとが同一の基地局の配下のセルでなければ、再接続を拒否する再接続拒否メッセージを送信し、再接続を認めない。一般に、基地局からの距離が離れたセル端の通信端末装置ほど、無線リンクが切断し易く、再接続の契機が起こりやすい。
【０００６】
また、基地局は、ハンドオーバの失敗を再接続の契機とする場合には、ハンドオーバを失敗した場合（Handover failureの場合）に、ハンドオーバ元のセル（source cell）を配下に有する基地局及びハンドオーバ先のセル（target cell）を配下に有する基地局と同一の基地局の配下のセルであれば再接続を認め、それ以外のセルに対する再接続を拒否する。
【０００７】
次に、非特許文献１に示す無線通信システムにおいて、再接続の契機として無線リンクの切断を検出した場合の再接続処理について、図１を用いて説明する。図１は、従来の再接続処理の契機として無線リンクの切断を検出した場合の再接続処理を示す図である。この場合には、通信端末装置は、同一の基地局の配下のセルのみに再接続することができる。また、図１において、基地局２０−１は、セル＃１〜＃３を配下に有するとともに、基地局２０−２は、セル＃４〜＃６を配下に有する。
【０００８】
最初に、再接続処理が成功する場合について、図１を用いて説明する。
【０００９】
図１より、通信端末装置１０−１は、セル＃１において基地局２０−１との無線リンク切断を検出し（１−１）、基地局２０−１に対して、セル＃３との再接続を要求する再接続要求メッセージを送信する（１−２）。
【００１０】
次に、基地局２０−１は、通信端末装置１０−１が切断前に接続していたセル＃１と、通信端末装置１０−１が再接続を要求したセル＃３とは何れも自局の配下のセルであるので、再接続を許可する再接続許可メッセージを通信端末装置１０−１へ送信する（１−３）。
【００１１】
これにより、通信端末装置１０−１は、セル＃３と再接続を行い、通信を再開する。
【００１２】
次に、再接続処理が失敗する場合について、図１を用いて説明する。
【００１３】
図１より、通信端末装置１０−２は、セル＃２において基地局２０−１との無線リンク切断を検出し（２−１）、セル探索（セルサーチ）を行う。
【００１４】
また、通信端末装置１０−２は、セル探索により見つけたセル＃４を配下に有する基地局２０−２に対して、再接続を要求する再接続要求メッセージを送信する（２−２）。
【００１５】
しかし、基地局２０−２は、通信端末装置１０−２が切断前に接続していたセル＃２と、通信端末装置１０−２が再接続を要求したセル＃４とは、異なる基地局の配下のセルであるので、再接続を拒否する再接続拒否メッセージを通信端末装置１０−２へ送信する（２−３）。
【００１６】
従って、通信端末装置１０−２は、セル＃４と再接続することができない。
【００１７】
次に、非特許文献１に示す無線通信システムにおいて、再接続の契機としてハンドオーバに失敗した場合の再接続処理について、図２を用いて説明する。図２は、従来の再接続処理の契機としてハンドオーバに失敗した場合の再接続処理を示す図である。図２においては、通信端末装置は、ハンドオーバ元のセルを配下に有する基地局及びハンドオーバ先のセルを配下に有する基地局のセルのみに再接続することができる。また、図２において、基地局２０−１は、セル＃１〜＃３を配下に有し、基地局２０−２は、セル＃４〜＃６を配下に有するとともに、基地局２０−３は、セル＃７〜＃９を配下に有する。
【００１８】
最初に、再接続処理が成功する場合について、図２を用いて説明する。
【００１９】
図２より、通信端末装置１０−３は、基地局２０−１から基地局２０−２へのハンドオーバに失敗した場合に（３−１）、ハンドオーバ元の基地局２０−１の配下のセル＃２との再接続を要求する再接続要求メッセージを送信する（３−２）。または、通信端末装置１０−３は、基地局２０−１から基地局２０−２へのハンドオーバに失敗した場合に（３−１）、ハンドオーバ先の基地局２０−２の配下のセル＃４との再接続を要求する再接続要求メッセージを送信する（３−３）。
【００２０】
次に、ハンドオーバ元の基地局２０−１またはハンドオーバ先の基地局２０−２は、再接続を許可する再接続許可メッセージを通信端末装置１０−３へ送信する（３−４または３−５）。
【００２１】
これにより、通信端末装置１０−３は、セル＃２またはセル＃４と再接続を行い、通信を再開する。
【００２２】
次に、再接続処理が失敗する場合について、図２を用いて説明する。
【００２３】
図２より、通信端末装置１０−３は、基地局２０−１から基地局２０−２へのハンドオーバに失敗した場合に（３−１）、セル探索を行う。
【００２４】
また、通信端末装置１０−３は、セル探索により見つけたセル＃９に対して、再接続を要求する再接続要求メッセージを送信する（３−６）。
【００２５】
しかし、基地局２０−３は、セル＃９がハンドオーバ元の基地局及びハンドオーバ先の基地局の配下のセルではないので、再接続を拒否する再接続拒否メッセージを通信端末装置１０−３へ送信する（３−７）。
【００２６】
従って、通信端末装置１０−３は、セル＃９と再接続することができない。
【００２７】
次に、従来の再接続が成功した場合の再接続処理について、図３を用いてさらに詳細に説明する。図３は、従来の再接続が成功した場合の再接続処理の一例を示すシーケンス図である。
【００２８】
図３より、再接続処理の契機が発生すると（ステップＳＴ１）、通信端末装置は、セル探索を行い（ステップＳＴ２）、所定のセルを検出する。
【００２９】
また、通信端末装置は、検出したセル＃１と再接続するために、セル＃１を配下に有する基地局に対して、再接続要求メッセージを送信する（ステップＳＴ３）。
【００３０】
次に、通信端末装置は、基地局から再接続許可メッセージを受信し（ステップＳＴ４）、続いて再接続完了メッセージを送信することで再接続を完了する（ステップＳＴ５）。  これにより、通信端末装置は、セル＃１と再接続することができ、通信を開始する（ステップＳＴ６）。
【００３１】
図３の場合、セル＃０及びセル＃１は、同一の基地局の配下のセルである。または、セル＃０を配下に有する基地局はハンドオーバ元の基地局であり、かつセル＃１を配下に有する基地局はハンドオーバ先の基地局である。
【００３２】
次に、従来の再接続が失敗した場合の処理について、図４を用いてさらに詳細に説明する。図４は、従来の再接続が失敗した場合の処理を示すシーケンス図である。
【００３３】
図４より、再接続処理の契機が発生すると（ステップＳＴ１１）、通信端末装置は、セル探索を行い（ステップＳＴ１２）、任意のセルを検出する。
【００３４】
また、通信端末装置は、検出したセル＃１に再接続するために、セル＃１を配下に有する基地局に対して、再接続要求メッセージを送信する（ステップＳＴ１３）。
【００３５】
次に、通信端末装置は、再接続拒否メッセージを受信する（ステップＳＴ１４）。
【００３６】
次に、通信端末装置は、通信を再開するために、セル再選択処理を行う（ステップＳＴ１５）。
【００３７】
次に、通信端末装置は、接続要求メッセージを送信し（ステップＳＴ１６）、接続設定メッセージを受信する（ステップＳＴ１７）。
【００３８】
次に、通信端末装置は、接続完了／位置登録更新要求メッセージを送信し（ステップＳＴ１８）、セキュリティモード命令メッセージを受信する（ステップＳＴ１９）。
【００３９】
次に、通信端末装置は、セキュリティモード完了メッセージを送信し（ステップＳＴ２０）、端末性能確認メッセージを受信する（ステップＳＴ２１）。
【００４０】
次に、通信端末装置は、端末性能情報メッセージを送信し（ステップＳＴ２２）、位置登録更新承認メッセージを受信する（ステップＳＴ２３）。
【００４１】
次に、通信端末装置は、位置登録更新完了メッセージを送信する（ステップＳＴ２４）。
【００４２】
これにより、通信端末装置は、セル＃２と再接続することができ、通信を開始する（ステップＳＴ２５）。
【００４３】
図４の場合、セル＃０とセル＃１とは、異なる基地局の配下のセルである。または、セル＃１は、ハンドオーバ元の基地局の配下のセルではなく、かつハンドオーバ先の基地局の配下のセルでもない。
【００４４】
このように、通信端末装置は、再接続要求を拒否された場合には、位置登録及び接続プロシージャをやり直す必要がある。また、通信端末装置は、セル探索処理において、再接続候補となるセルを所定時間内に検出できない場合にも、再接続失敗として接続プロシージャをやり直す必要がある。
【先行技術文献】
【非特許文献】
【００４５】
【非特許文献１】3GPP TS 36.331 V8.8.0 (2009-12)
【発明の概要】
【発明が解決しようとする課題】
【００４６】
しかしながら、従来のシステムにおいては、通信端末装置は再接続可能なセルを判別することができないので、偶発的に検出したセルに再接続を試みる。従って、セル端の通信端末装置は、セル中央の通信端末装置に比べて、複数の異なるセルを検出する可能性が高いとともに、再接続可能なセル以外のセルを検出する可能性が高い。この場合、従来のシステムにおいては、再接続要求メッセージ及び再接続拒否メッセージの不要なシグナリングが増加し、シグナリング量が増大するという問題がある。また、従来のシステムにおいては、再接続を拒否された後に接続処理をやり直すことに伴って、再接続に成功して通信を再開する場合に比べてシグナリング量が増大するという問題がある。
【００４７】
本発明の目的は、再接続の成功の確率を高くすることができるとともに、シグナリング量を抑制することができる通信端末装置及びセルとの再接続方法を提供することである。
【課題を解決するための手段】
【００４８】
本発明の通信端末装置は、基地局の配下の複数のセルのうちの何れかのセルと接続して通信を行う通信端末装置であって、現在接続中のセルの周辺のセルを示す周辺セル情報を前記現在接続中のセルより取得する取得手段と、セルとの再接続の必要が生じた際にセルの探索を実施するとともに、前記周辺セル情報のセルのうち、前記探索により検出したセルと一致するセルを再接続先のセルとして検出する検出手段と、前記検出手段により検出した前記再接続先のセルに再接続する再接続手段と、を具備する構成を採る。
【００４９】
本発明のセルとの再接続方法は、基地局の配下の複数のセルのうちの何れかのセルと接続して通信を行う通信端末装置におけるセルとの再接続方法であって、現在接続中のセルの周辺のセルを示す周辺セル情報を前記現在接続中のセルより取得するステップと、セルとの再接続の必要が生じた際にセルの探索を実施するとともに、前記周辺セル情報のセルのうち、前記探索により検出したセルと一致するセルを再接続先のセルとして検出するステップと、検出した前記再接続先のセルに再接続するステップと、を具備するようにした。
【発明の効果】
【００５０】
本発明によれば、再接続の成功の確率を高くすることができるとともに、シグナリング量を抑制することができる。
【図面の簡単な説明】
【００５１】
【図１】従来の再接続処理の契機として無線リンクの切断を検出した場合の再接続処理を示す図
【図２】従来の再接続処理の契機としてハンドオーバに失敗した場合の再接続処理を示す図
【図３】従来の再接続が成功した場合の再接続処理の一例を示すシーケンス図
【図４】従来の再接続が失敗した場合の処理を示すシーケンス図
【図５】本発明の実施の形態１に係る通信端末装置の構成を示すブロック図
【図６】本発明の実施の形態１に係る通信端末装置の動作を示すフロー図
【図７】本発明の実施の形態１における無線通信システムの動作を示すシーケンス図
【図８】本発明の実施の形態２における基地局の構成を示すブロック図
【図９】本発明の実施の形態３における基地局の構成を示すブロック図
【図１０】実施の形態１〜実施の形態３の変形例として、周辺セル情報のセル以外のセルの優先度を下げる場合の通信端末装置の動作を示すフロー図
【発明を実施するための形態】
【００５２】
以下、本発明の実施の形態について、図面を参照して詳細に説明する。
【００５３】
（実施の形態１）
図５は、本発明の実施の形態１に係る通信端末装置１００の構成を示すブロック図である。
【００５４】
通信端末装置１００は、アンテナ１０１と、無線受信部１０２と、復調部１０３と、再接続判定部１０４と、周辺セル情報復号部１０５と、周辺セル探索部１０６と、再接続要求情報生成部１０７と、多重／変調部１０８と、無線送信部１０９と、アンテナ１１０とから主に構成される。
【００５５】
アンテナ１０１は、信号を受信するとともに、受信した信号を無線受信部１０２へ出力する。
【００５６】
無線受信部１０２は、アンテナ１０１から入力した信号を無線信号からベースバンド信号に変換して復調部１０３へ出力する。
【００５７】
復調部１０３は、無線受信部１０２から入力したベースバンド信号を復調して所定の情報を取得し、取得した情報を再接続判定部１０４及び周辺セル情報復号部１０５へ出力する。具体的には、復調部１０３は、復調により、同期情報、セキュリティ情報、リコンフィグレーション情報またはハンドオーバ情報を取得し、取得したこれらの情報を再接続判定部１０４へ出力する。また、復調部１０３は、復調により、周辺セル情報を取得し、取得した周辺セル情報を周辺セル情報復号部１０５へ出力する。ここで、周辺セル情報は、報知情報メッセージ（System Information）、接続設定メッセージ（RRC Connection Setup）または接続再設定メッセージ（RRC Connection Reconfiguration）により、基地局より接続中のセルを介して送信される。
【００５８】
再接続判定部１０４は、復調部１０３から入力した同期情報、セキュリティ情報、リコンフィグレーション情報またはハンドオーバ情報に基づいて、再接続を実施するか否かを判定する。具体的には、再接続判定部１０４は、復調部１０３から入力した同期情報、セキュリティ情報、リコンフィグレーション情報またはハンドオーバ情報より再接続の契機となる情報を検出した場合に、再接続を実施するものと判定する。例えば、再接続判定部１０４は、同期情報から無線リンク切断（Radio link failure）を検出した場合には、再接続を実施すると判定する。また、再接続判定部１０４は、セキュリティ情報からインテグリティ・チェック失敗（Integrity check failure）を検出した場合には、再接続を実施すると判定する。また、再接続判定部１０４は、リコンフィグレーション情報からリコンフィグレーション失敗（RRC connection reconfiguration failure）を検出した場合には、再接続を実施すると判定する。また、再接続判定部１０４は、ハンドオーバ情報からハンドオーバ失敗（Handover failure）を検出した場合には、再接続を実施すると判定する。また、再接続判定部１０４は、再接続を実施すると判定した場合には、周辺セルの探索を指示する周辺セル探索指示を周辺セル探索部１０６へ出力する。
【００５９】
周辺セル情報復号部１０５は、復調部１０３から入力した周辺セル情報を復号する。また、周辺セル情報復号部１０５は、復号した周辺セル情報を周辺セル探索部１０６へ出力する。ここで、周辺セル情報復号部１０５が復号する周辺セル情報は、通信端末装置１００が無線リンク切断時に接続していたセルを配下に有する基地局の配下の他のセルの情報である。または、通信端末装置１００が接続しているセルを配下に有する基地局の配下の他のセルと、この基地局に隣接する基地局の配下のセルとの情報である。即ち、ハンドオーバ元の基地局及びハンドオーバ先の基地局の配下のセルの情報である。また、周辺セル情報は、例えば、周辺セルのセルＩＤ情報（例えば、周辺セルのＰＣＩ）、周辺セルで使用する周波数情報（例えば、周辺セルの周波数リスト）または周辺セルで使用する無線接続方式（RAT：Radio Access Technology）情報である。また、無線接続方式情報とは、ＧＳＭ、ＵＴＲＡＮ、またはＥ−ＵＴＲＡＮ等、無線通信システムで使用される接続の方式を示す情報である。
【００６０】
周辺セル探索部１０６は、再接続判定部１０４から周辺セル探索指示が入力した場合に、周辺セルを探索し、探索結果と周辺セル情報復号部１０５から入力した復号後の周辺セル情報とに基づいて、再接続可能なセルを検出する。例えば、周辺セル探索部１０６は、周辺セルの探索として、セル探索により検出したセルと、周辺セル情報復号部１０５から入力したセルＩＤ情報のセルとが一致するか否かを判定する処理を行う。または、周辺セル探索部１０６は、周辺セルの探索として、セル探索により検出したセルで使用する周波数情報と、周辺セル情報復号部１０５から入力した周波数情報とが一致するか否かを判定する処理を行う。または、周辺セル探索部１０６は、周辺セルの探索として、セル探索により検出したセルで使用する無線接続方式情報と、周辺セル情報復号部１０５から入力した無線接続方式情報とが一致するか否かを判定する。
【００６１】
また、周辺セル探索部１０６は、再接続可能なセルを検出した場合に、再接続可能なセルの情報を再接続要求情報生成部１０７へ出力する。例えば、周辺セル探索部１０６は、周辺セル情報復号部１０５から入力したセルＩＤ情報のセルのうち、セル探索により検出したセルと一致するセルを再接続可能なセルとして検出する。または、周辺セル探索部１０６は、周辺セル情報復号部１０５から入力した周波数情報を使用するセルのうち、セル探索により検出したセルと一致するセルを再接続可能なセルとして検出する。または、周辺セル探索部１０６は、周辺セル情報復号部１０５から入力した無線接続方式情報を使用するセルのうち、セル探索により検出したセルと一致するセルを、再接続可能なセルとして検出する。
【００６２】
再接続要求情報生成部１０７は、周辺セル探索部１０６から再接続可能なセルの情報が入力した場合には、再接続可能なセルの情報を参照して、再接続可能なセル宛の再接続要求メッセージを生成して多重／変調部１０８へ出力する。一方、再接続要求情報生成部１０７は、周辺セル探索部１０６から再接続可能なセルの情報が入力しない場合には、再接続要求メッセージを生成しない。これにより、通信端末装置１００は、再接続可能なセルに対してのみ再接続を試みる。ここで、再接続要求メッセージには、通信端末装置１００が直前に通信をしていたセルのＰＣＩを含める。
【００６３】
多重／変調部１０８は、再接続要求情報生成部１０７から入力した再接続要求メッセージを他の情報と多重して多重データを生成する。また、多重／変調部１０８は、生成した多重データを変調して変調信号を生成して無線送信部１０９へ出力する。
【００６４】
無線送信部１０９は、多重／変調部１０８から入力した変調信号をベースバンド信号から無線信号に変換してアンテナ１１０へ出力する。
【００６５】
アンテナ１１０は、無線送信部１０９から入力した信号を送信する。
【００６６】
次に、通信端末装置１００の動作について、図６を用いて説明する。図６は、通信端末装置１００の動作を示すフロー図である。
【００６７】
最初に、再接続判定部１０４は、再接続の契機の発生を検出する（ステップＳＴ２０１）。
【００６８】
次に、周辺セル探索部１０６は、周辺セルの探索を行う（ステップＳＴ２０２）。
【００６９】
次に、周辺セル探索部１０６は、再接続可能なセルを検出したか否かを判定する（ステップＳＴ２０３）。
【００７０】
再接続可能なセルを検出しない場合には（ステップＳＴ２０３：Ｎｏ）、通信端末装置１００は、ステップＳＴ２０２に処理を戻す。
【００７１】
一方、再接続可能なセルを検出した場合には（ステップＳＴ２０３：Ｙｅｓ）、再接続要求情報生成部１０７は、再接続要求メッセージを生成して再接続可能なセルとの再接続処理を開始する（ステップＳＴ２０４）。
【００７２】
次に、通信端末装置１００は、再接続先のセルとの間でデータ通信を開始する（ステップＳＴ２０５）。
【００７３】
次に、通信端末装置１００を含む本実施の形態における無線通信システムの動作について、図７を用いて説明する。図７は、本実施の形態における無線通信システムの動作を示すシーケンス図である。図７において、セル＃００及びセル＃０１は基地局＃０の配下のセルであり、セル＃１０は基地局＃１の配下のセルである。
【００７４】
図７より、通信端末装置１００とセル＃００との接続中において、再接続処理の契機が発生すると（ステップＳＴ３０１）、通信端末装置１００は、周辺セルの探索を行い（ステップＳＴ３０２）、再接続可能なセル＃１０を検出する。
【００７５】
また、通信端末装置１００は、検出したセル＃１０に対して、再接続要求メッセージを送信する（ステップＳＴ３０３）。
【００７６】
次に、セル＃１０は、通信端末装置１００との再接続に必要な再接続情報を取得するために、再接続情報要求メッセージをセル＃００へ送信する（ステップＳＴ３０４）。
【００７７】
次に、セル＃００は、再接続情報を再接続情報応答メッセージとしてセル＃１０へ送信する（ステップＳＴ３０５）。
【００７８】
次に、セル＃１０は、再接続許可メッセージを通信端末装置１００に送信する（ステップＳＴ３０６）。
【００７９】
次に、通信端末装置は、再接続完了メッセージをセル＃１０へ送信することで再接続を完了する（ステップＳＴ３０７）。
【００８０】
これにより、通信端末装置１００は、再接続先のセル＃１０と再接続して通信を開始する（ステップＳＴ３０８）。上記で説明した通り、通信端末装置１００は、ステップＳＴ３０２において、取得した周辺セル情報を用いて、再接続可能なセル＃１０を検出するので、検出したセル＃１０と確実に再接続を行うことができる。
【００８１】
因みに、再接続の契機が発生する前に他のセルに移動するための処理として、ハンドオーバまたはリダイレクション（re-direction）がある。しかしながら、通信端末装置がセル端に居るためにダウンリンクのメッセージが届かない場合、または電車等により多数の通信端末装置が同時に移動する場合には、通信端末装置に対して、上記の処理を実施させるためのコマンドが適切なタイミングで届かない可能性がある。このような場合には、本実施の形態の再接続処理を実施させることは有効である。
【００８２】
このように、本実施の形態によれば、周辺セル情報を用いて検出した再接続可能なセルに対して再接続を要求するので、シグナリング量を抑制することができる。
【００８３】
また、本実施の形態によれば、周辺セル情報を用いて検出した再接続可能なセルに対して再接続を要求するので、再接続の成功の確率を高くすることができ、不要なトラフィックの増大を抑制することができる。
【００８４】
なお、本実施の形態において、通信端末装置との再接続に必要な再接続情報を、基地局間で直接送受信したが、本発明はこれに限らず、移動管理エンティティ（Mobility Management Entity：MME）を介して基地局間で送受信するようにしてもよい。
【００８５】
（実施の形態２）
図８は、本発明の実施の形態２に係る基地局４００の構成を示すブロック図である。なお、本実施の形態において、通信端末装置の構成は図５と同一構成であるので、その説明を省略する。
【００８６】
基地局４００は、ユーザデータ生成部４０１と、再接続可能セル通知判定部４０２と、再接続可能セル情報生成部４０３と、多重／変調部４０４と、無線送信部４０５と、アンテナ４０６とから主に構成される。
【００８７】
ユーザデータ生成部４０１は、通信端末装置１００に送信するユーザデータを生成して多重／変調部４０４へ出力する。また、ユーザデータ生成部４０１は、生成したユーザデータの通信端末装置１００毎のデータ量を、再接続可能セル通知判定部４０２へ出力する。
【００８８】
再接続可能セル通知判定部４０２は、ユーザデータ生成部４０１から入力した通信端末装置１００毎のデータ量に基づいて、再接続可能なセルを周辺セル情報として通知する通信端末装置１００を選択する。例えば、再接続可能セル通知判定部４０２は、データ量が閾値以上の通信端末装置１００を選択する。また、再接続可能セル通知判定部４０２は、選択した通信端末装置１００に対して再接続可能な周辺セル情報を通知する指示を、再接続可能セル情報生成部４０３に行う。
【００８９】
再接続可能セル情報生成部４０３は、再接続可能セル通知判定部４０２からの指示に従って、通知端末装置１００に送信する再接続可能なセルの周辺セル情報を生成して多重／変調部４０４へ出力する。
【００９０】
多重／変調部４０４は、ユーザデータ生成部４０１から入力したユーザデータと、再接続可能セル情報生成部４０３から入力した再接続可能セル情報とを多重して多重データを生成する。また、多重／変調部４０４は、生成した多重データを変調して変調信号を生成し、生成した変調信号を無線送信部４０５へ出力する。
【００９１】
無線送信部４０５は、多重／変調部４０４から入力した変調信号をベースバンド信号から無線信号に変換してアンテナ４０６へ出力する。
【００９２】
アンテナ４０６は、無線送信部４０５から入力した信号を送信する。
【００９３】
なお、本実施の形態において、通信端末装置１００の動作は図６と同一であり、無線通信システムの動作は図７と同一であるので、その説明を省略する。
【００９４】
このように、本実施の形態では、再接続失敗によるロスの大きい通信端末装置、または再接続発生確率の高い通信端末装置に対して、周辺セル情報を送信する。これにより、本実施の形態によれば、上記の実施の形態１の効果に加えて、周辺セル情報が必要な通信端末装置に対してのみ周辺セル情報を送信するので、ダウンリンクの伝送効率の低下を抑制しつつ、かつシグナリング量を減らすことができる。
【００９５】
（実施の形態３）
図９は、本発明の実施の形態３に係る基地局５００の構成を示すブロック図である。なお、本実施の形態において、通信端末装置の構成は図５と同一構成であるので、その説明を省略する。
【００９６】
基地局５００は、アンテナ５０１と、無線受信部５０２と、復調部５０３と、再接続可能セル通知判定部５０４と、再接続可能セル情報生成部５０５と、ユーザデータ生成部５０６と、多重／変調部５０７と、無線送信部５０８と、アンテナ５０９とから主に構成される。
【００９７】
アンテナ５０１は、信号を受信するとともに、受信した信号を無線受信部５０２へ出力する。
【００９８】
無線受信部５０２は、アンテナ５０１から入力した信号を無線信号からベースバンド信号に変換して復調部５０３へ出力する。
【００９９】
復調部５０３は、無線受信部５０２から入力したベースバンド信号を復調して通信端末装置情報を取得し、取得した通信端末装置情報を再接続可能セル通知判定部５０４へ出力する。例えば、復調部５０３は、受信信号の電界強度を通信端末装置１００毎に求めるとともに、求めた通信端末装置１００毎の受信電界強度を通信端末装置情報として再接続可能セル通知判定部５０４へ出力する。また、復調部５０３は、受信信号より各通信端末装置１００の移動速度を求めるとともに、求めた各通信端末装置１００の移動速度を通信端末装置情報として再接続可能セル通知判定部５０４へ出力する。
【０１００】
再接続可能セル通知判定部５０４は、復調部５０３から入力した通信端末装置情報に基づいて、再接続可能なセルを通知する通信端末装置１００を選択する。また、再接続可能セル通知判定部５０４は、選択した通信端末装置１００に対して再接続可能なセルの周辺セル情報を通知する指示を、再接続可能セル情報生成部５０５に行う。例えば、再接続可能セル通知判定部５０４は、電界強度が閾値以下の通信端末装置１００のみに再接続可能なセルの周辺セル情報を通知する指示を、再接続可能セル情報生成部５０５に行う。また、再接続可能セル通知判定部５０４は、移動速度が閾値以上の通信端末装置１００のみに再接続可能なセルの周辺セル情報を通知する指示を、再接続可能セル情報生成部５０５に行う。
【０１０１】
再接続可能セル情報生成部５０５は、再接続可能セル通知判定部５０４からの指示に従って、通知端末装置１００に送信する再接続可能なセルの周辺セル情報を生成して多重／変調部５０７へ出力する。
【０１０２】
ユーザデータ生成部５０６は、通信端末装置１００に送信するユーザデータを生成して多重／変調部５０７へ出力する。
【０１０３】
多重／変調部５０７は、ユーザデータ生成部５０６から入力したユーザデータと、再接続可能セル情報生成部５０５から入力した再接続可能なセルの周辺セル情報とを多重して多重データを生成する。また、多重／変調部５０７は、生成した多重データを変調して変調信号を生成し、生成した変調信号を無線送信部５０８へ出力する。
【０１０４】
無線送信部５０８は、多重／変調部５０７から入力した変調信号をベースバンド信号から無線信号に変換してアンテナ５０９へ出力する。
【０１０５】
アンテナ５０９は、無線送信部５０８から入力した信号を送信する。
【０１０６】
なお、本実施の形態において、通信端末装置１００の動作は図６と同一であり、無線通信システムの動作は図７と同一であるので、その説明を省略する。
【０１０７】
このように、本実施の形態では、再接続失敗によるロスの大きい通信端末装置、または再接続発生確率の高い通信端末装置に対して、周辺セル情報を送信することができる。これにより、本実施の形態によれば、上記の実施の形態１の効果に加えて、周辺セル情報が必要な通信端末装置に対してのみ周辺セル情報を送信するので、ダウンリンクの伝送効率の低下を抑制しつつ、かつシグナリング量を減らすことができる。
【０１０８】
なお、上記の実施の形態１〜実施の形態３において、周辺セル情報のセル以外のセルを再接続先のセルとして検出しないようにしたが、本発明はこれに限らず、再接続先のセルを検出する際に、周辺セル情報のセル以外のセルの優先度を下げるようにしてもよい。
【０１０９】
図１０は、実施の形態１〜実施の形態３の変形例として、周辺セル情報のセル以外のセルの優先度を下げる場合の通信端末装置の動作を示すフロー図である。なお、図１０において、図６と同一動作である部分には同一の符号を付して、その説明を省略する。
【０１１０】
図１０より、ステップＳＴ２０３において、再接続可能なセルを検出した場合には（ステップＳＴ２０３：Ｙｅｓ）、再接続要求情報生成部１０７は、再接続要求メッセージを生成して再接続可能なセルとの再接続処理を開始する（ステップＳＴ２０４）。
【０１１１】
一方、ステップＳＴ２０３において、再接続可能なセルを検出しない場合には（ステップＳＴ２０３：Ｎｏ）、通信端末装置１００は、ステップＳＴ２０２において検索したセルとの再接続処理を開始する（ステップＳＴ１００１）。
【０１１２】
次に、通信端末装置１００は、ステップＳＴ２０４における再接続処理、またはステップＳＴ１００１における再接続処理の後、再接続先のセルとの間でデータ通信を開始する（ステップＳＴ２０５）。
【０１１３】
図１０によれば、再接続可能なセルを検出するまでステップＳＴ２０２及びステップＳＴ２０３の処理を繰り返すことによる、再接続に伴う処理負荷及び再接続の遅延を防ぐことができる。
【産業上の利用可能性】
【０１１４】
本発明にかかる通信端末装置及びセルとの再接続方法は、特に無線通信システムにおいてセルとの再接続を実施するのに好適である。
【符号の説明】
【０１１５】
１００  通信端末装置
１０１、１１０  アンテナ
１０２  無線受信部
１０３  復調部
１０４  再接続判定部
１０５  周辺セル情報復号部
１０６  周辺セル探索部
１０７  再接続要求情報生成部
１０８  多重／変調部
１０９  無線送信部
【図１】
2012114705.tif 000003
【図２】
2012114705.tif 000004
【図３】
2012114705.tif 000005
【図４】
2012114705.tif 000006
【図５】
2012114705.tif 000007
【図６】
2012114705.tif 000008
【図７】
2012114705.tif 000009
【図８】
2012114705.tif 000010
【図９】
2012114705.tif 000011
【図１０】
2012114705.tif 000012